(57)【特許請求の範囲】
【請求項１】
圧搾可能な胴部（４０）を備える容器体（Ｂ）の口頸部（４１）内周に外周下部を液密に嵌合させて装着するとともに、下端を開口した有頂筒状をなし、頂部に吐出口（１８）を開口したノズル基体（Ａ１）と、ノズル基体（Ａ１）内に嵌着固定した柔軟で弾力性に富む材質で構成され、容器体（Ｂ）内から吐出口（１８）に至る通液路（ｐ１）を画成するとともに、ノズル基体（Ａ１）の周壁（１０）に穿設した外気導入孔（１７）から容器体（Ｂ）内へ至る通気路（ｐ２）を画成した弁部材（Ａ２）とを備え、通液路（ｐ１）途中に容器体（Ｂ）内から吐出口（１８）へ一方的に連通する吐出弁（ｖ１）を、通気路（ｐ２）途中に外部から容器体（Ｂ）内へ一方的に連通する吸気弁（ｖ２）を、それぞれ設けた吐出栓において、
弁部材（Ａ２）は、ノズル基体（Ａ１）内周に下端開口の有頂筒状をなす筒部（３０）より突設した固定区画壁（３３）の周縁を嵌着固定してノズル基体（Ａ１）に固定し、筒部（３０）下端部より突設した吸気弁体（３１）とノズル基体（Ａ１）下面の吸気弁座（３６）とで吸気弁（ｖ２）を、筒部（３０）上端部より突設した吐出弁体（３２）とノズル基体（Ａ１）の周壁（１０）内面に形成した吐出弁座（１３）とで吐出弁（ｖ１）を、それぞれ形成し、固定区画壁（３３）と吐出弁体（３２）との間の筒部（３０）に穿設した通液路（ｐ１）を構成する透孔（３４）を介して筒部（３０）内外を連通し、固定区画壁（３３）下方に通気路（ｐ２）を構成する外気導入孔（１７）を穿設した吐出栓。
【請求項２】
固定区画壁（３３）と吸気弁体（３１）との間の筒部（３０）外周に、間隔をあけてフランジ状リブ（３５）を突設し、各フランジ状リブ（３５）の外周縁を、ノズル基体（Ａ１）の周壁（１０）内周に嵌着し、ノズル基体（Ａ１）の周壁（１０）内面に通気路（ｐ２）を構成する凹部（１５）を凹設した請求項１に記載の吐出栓。
【請求項３】
ノズル基体（Ａ１）と弁部材（Ａ２）との間に、弁部材（Ａ２）をノズル基体（Ａ１）内の所定位置に嵌着係止させる係止手段を設けた請求項１又は請求項２に記載の吐出栓。
【請求項４】
係止手段が、ノズル基体（Ａ１）の頂部下面に、弁部材（Ａ２）の上面に下面を当接係止する係止柱（２１）を垂設した請求項３に記載の吐出栓。
【請求項５】
係止手段が、ノズル基体（Ａ１）の周壁（１０）内周下端部を大径部（２２）に形成することで、その上端に形成された係止段部（２３）と、弁部材（Ａ２）の筒部（３０）外周下部に突設するとともに、係止段部（２３）下面に当接係止し、且つ、通気路（ｐ２）を構成する通気孔（３８）を備えたフランジ状の係止板部（３７）とで構成した請求項３又は請求項４に記載の吐出栓。
【発明の詳細な説明】
【技術分野】
【０００１】
本発明は吐出栓に関し、詳しくは、薬剤（目薬）容器等に好適な吐出栓に関する。
【背景技術】
【０００２】
目薬容器等には、容器体内に収容された液を分取する吐出栓が装着されている。（例えば、特許文献１を参照）
【０００３】
特許文献１に記載されている目薬容器に装着されている吐出栓は、容器体口頸部内周に下端を密嵌させるとともに、先端に吐出孔を備えた筒状をなしている。
【０００４】
上記特許文献１に記載された様な従来の吐出栓の場合、例えば、先端注出口に雑菌等が付着した場合に容器体内へ逆流する虞があった。
【先行技術文献】
【特許文献】
【０００５】
【特許文献１】特開平１１−１５５９２８号公報
【発明の概要】
【発明が解決しようとする課題】
【０００６】
本発明は先端にたとえ雑菌等が付着した場合でも容器体内への逆流の虞がなく、また、構成部材の構造が単純であるとともに組み付けが容易であり、組み付け後のしっかりとした構造維持が可能な吐出栓を提案する。
【課題を解決するための手段】
【０００７】
第１の手段として、以下の通り構成した。即ち、  圧搾可能な胴部４０を備える容器体Ｂの口頸部４１内周に外周下部を液密に嵌合させて装着するとともに、下端を開口した有頂筒状をなし、頂部に吐出口１８を開口したノズル基体Ａ１と、ノズル基体Ａ１内に嵌着固定した柔軟で弾力性に富む材質で構成され、容器体Ｂ内から吐出口１８に至る通液路ｐ１を画成するとともに、ノズル基体Ａ１の周壁１０に穿設した外気導入孔１７から容器体Ｂ内へ至る通気路ｐ２を画成した弁部材Ａ２とを備え、通液路ｐ１途中に容器体Ｂ内から吐出口１８へ一方的に連通する吐出弁ｖ１を、通気路ｐ２途中に外部から容器体Ｂ内へ一方的に連通する吸気弁ｖ２を、それぞれ設けた吐出栓において、
弁部材Ａ２は、ノズル基体Ａ１内周に下端開口の有頂筒状をなす筒部３０より突設した固定区画壁３３の周縁を嵌着固定してノズル基体Ａ１に固定し、筒部３０下端部より突設した吸気弁体３１とノズル基体Ａ１下面の吸気弁座３６とで吸気弁ｖ２を、筒部３０上端部より突設した吐出弁体３２とノズル基体Ａ１の周壁１０内面に形成した吐出弁座１３とで吐出弁ｖ１を、それぞれ形成し、固定区画壁３３と吐出弁体３２との間の筒部３０に穿設した通液路ｐ１を構成する透孔３４を介して筒部３０内外を連通し、固定区画壁３３下方に通気路ｐ２を構成する外気導入孔１７を穿設している。
【０００９】
第２の手段として、以下の通り構成した。即ち、前記第１の手段に於いて、固定区画壁３３と吸気弁体３１との間の筒部３０外周に、間隔をあけてフランジ状リブ３５を突設し、各フランジ状リブ３５の外周縁を、ノズル基体Ａ１の周壁１０内周に嵌着し、ノズル基体Ａ１の周壁１０内面に通気路ｐ２を構成する凹部１５を凹設した。
【００１０】
第３の手段として、以下の通り構成した。即ち、前記第１の手段又は第２の手段に於いて、ノズル基体Ａ１と弁部材Ａ２との間に、弁部材Ａ２をノズル基体Ａ１内の所定位置に嵌着係止させる係止手段を設けた。
【００１１】
第４の手段として、以下の通り構成した。即ち、前記第３の手段に於いて、係止手段が、ノズル基体Ａ１の頂部下面に、弁部材Ａ２の上面に下面を当接係止する係止柱２１を垂設した。
【００１２】
第５の手段として、以下の通り構成した。即ち、前記第３の手段又は第４の手段に於いて、係止手段が、ノズル基体Ａ１の周壁１０内周下端部を大径部２２に形成することで、その上端に形成された係止段部２３と、弁部材Ａ２の筒部３０外周下部に突設するとともに、係止段部２３下面に当接係止し、且つ、通気路ｐ２を構成する通気孔３８を備えたフランジ状の係止板部３７とで構成した。
【発明の効果】
【００１３】
本発明によれば、容器体Ｂ内から吐出口１８に至る通液路ｐ１を備え、また、ノズル基体Ａ１の周壁１０に穿設した外気導入孔１７から容器体Ｂ内へ至る通気路ｐ２を備え、また、通液路ｐ１途中に容器体Ｂ内から吐出口１８へ一方的に連通する吐出弁ｖ１を、通気路ｐ２途中に外部から容器体Ｂ内へ一方的に連通する吸気弁ｖ２を、それぞれ弁部材Ａ２と一体に形成しているため、たとえ、雑菌等が吐出栓の先端に付着することがあったとしても、それらが容器体内に吸引される虞はなく、特に収容液が目薬等の目薬容器の場合には雑菌の存在は好ましくないため好適である。また、ノズル基体Ａ１に弁部材Ａ２を嵌着するという簡単な組み付け操作が可能であり、構造も簡単であり、安価に製造できる利点を兼ね備える。
【００１４】
弁部材Ａ２は、ノズル基体Ａ１内周に下端開口の有頂筒状をなす筒部３０より突設した固定区画壁３３の周縁を嵌着固定してノズル基体Ａ１に固定し、筒部３０下端部より突設した吸気弁体３１とノズル基体Ａ１下面の吸気弁座３６とで吸気弁ｖ２を、筒部３０上端部より突設した吐出弁体３２とノズル基体Ａ１の周壁１０内面に形成した吐出弁座１３とで吐出弁ｖ１を、それぞれ形成し、固定区画壁３３と吐出弁体３２との間の筒部３０に穿設した通液路ｐ１を構成する透孔３４を介して筒部３０内外を連通し、固定区画壁３３下方に通気路ｐ２を構成する外気導入孔１７を穿設した場合には、構造が極めて簡単であり製造が容易で、また、組み付け操作も容易である。
【００１５】
固定区画壁３３と吸気弁体３１との間の筒部３０外周に、間隔をあけてフランジ状リブ３５を突設し、各フランジ状リブ３５の外周縁を、ノズル基体Ａ１の周壁１０内周に嵌着し、ノズル基体Ａ１の周壁１０内面に通気路ｐ２を構成する凹部１５を凹設した場合には、ノズル基体Ａ１に対して弁部材Ａ２を安定した状態で嵌着固定させておくことができ、しかも、ノズル基体Ａ１に対する弁部材Ａ２の組み付けも容易に行える利点もある。
【００１６】
ノズル基体Ａ１と弁部材Ａ２との間に、弁部材Ａ２をノズル基体Ａ１内の所定位置に嵌着係止させる係止手段を設けた場合には、ノズル基体Ａ１に対し弁部材Ａ２を適正位置に容易に且つ正確に組み付けることができる利点がある。
【００１７】
ノズル基体Ａ１の頂部下面に、弁部材Ａ２の上面に下面を当接係止する係止柱２１を垂設した場合には、ノズル基体Ａ１に対し弁部材Ａ２を所定位置に容易に組み付けることができる利点があり、特に、筒部３０の上面を所定位置に係止でき、筒部３０上端部より突設した吐出弁体３１を吐出弁座１３の圧接位置に適切に係止できる利点がある。
【００１８】
係止手段が、ノズル基体Ａ１の周壁１０内周下端部を大径部２２に形成することで、その上端に形成された係止段部２３と、弁部材Ａ２の筒部３０外周下部に突設するとともに、係止段部２３下面に当接係止し、且つ、通気路ｐ２を構成する通気孔３８を備えたフランジ状の係止板部３７とで構成した場合には、係止段部２３とフランジ状の係止板部３７の存在で、広範囲な当接面積で安定的に弁部材Ａ２をノズル基体Ａ１の所定位置に嵌着係止でき、柔軟で弾力性に富む材質で形成される弁部材Ａ２が、例えば下方からの圧縮でやや収縮した状態でノズル基体Ａ１内に嵌着固定される等の不都合を確実に防止できる。従って、吐出弁体３２の吐出弁座１３への良好な圧接も、吸気弁体３１の吸気弁座３６への良好な圧接も可能となる。また、係止柱２１で構成される上方の係止手段を併せて設けることで、更に確実な弁部材Ａ２の適正位置への嵌着固定が可能となり、各部の良好な機能維持が可能となる。
【図面の簡単な説明】
【００１９】
【図１】吐出栓を装着した目薬容器の一部切欠正面図である。（第１実施例）
【図２】吐出栓を装着した目薬容器の平面図である。（第１実施例）
【図３】吐出栓を装着した目薬容器の一部切欠側面図である。（第１実施例）
【図４】吐出栓を装着した目薬容器の要部拡大断面図である。（第１実施例）
【図５】吐出栓を装着した目薬容器の要部拡大断面図である。（第２実施例）
【図６】栓部材の係止板部部分の要部拡大横断面図である。（第２実施例）
【発明を実施するための形態】
【００２０】
以下、本発明の形態を図面を参照して説明する。
【００２１】
図１は吐出栓Ａの第１実施例を示し、吐出栓Ａは、容器体Ｂに嵌着し、また、キャップＣを備え、全体として目薬容器として構成している。
【００２２】
容器体Ｂは圧搾可能な胴部４０より口頸部４１を起立して構成している。
【００２３】
吐出栓Ａは、ノズル基体Ａ１と、弁部材Ａ２とで構成している。
【００２４】
ノズル基体Ａ１は合成樹脂等により形成され、周壁１０の上端縁より頂壁１１を延設した下端開口の有頂筒状をなし、周壁１０外周下部を容器体Ｂの口頸部４１内周に気密・液密に嵌合させて装着している。周壁１０の内周下端部は環状に凹ませた環状凹陥部を設けている。図示例では周壁１０外周所定位置に突設したフランジ１２を容器体口頸部４１上面に当接係止させて、その下方の周壁１０を容器体口頸部４１内周に嵌合している。また、周壁１０の上部内周には環状の突条形態の吐出弁座１３を突設し、また、吐出弁座１３下方内周の所定位置には係止用の突条１４を突周設している。更に、係止用の突条１４下方の周壁１０内周下部には通気路ｐ２を構成する縦長の凹部１５を形成している。また、凹部１５内上端部位置の周壁１０には外気導入孔１７を穿設している。また、頂壁１１には吐出口１８を開口している。吐出口１８は頂壁１１中央部に上端を開口した吐出筒１９内に開口しており、吐出筒１９内下部に周方向複数突設した支持リブ２０を介して係止柱２１を支持している。
【００２５】
弁部材Ａ２は、エラストマー等の柔軟で弾力性に富む材質により形成されたもので、下端開口の有頂筒状をなす筒部３０を備え、筒部３０の外周下端より外方へフランジ状の吸気弁体３１を一体に突設しており、筒部３０の外周上端より外方へフランジ状の吐出弁体３２を一体に突設している。また、筒部３０の外周上部からは外周縁をノズル基体Ａ１の周壁１０内周に嵌着固定する固定区画壁３３を突設している。固定区画壁３３と吐出弁体３２との間の筒部３０には透孔３４を穿設し、筒部３０内と、固定区画壁３３と吐出弁体３２との間の外部とを連通している。また、固定区画壁３３下方の筒部３０外周からはフランジ状リブ３５を間隔をあけて複数突設している。
【００２６】
そして、ノズル基体Ａ１の下端開口から弁部材Ａ２を挿入嵌合して吐出栓Ａを形成している。吐出栓Ａは、弁部材Ａ２の上面が係止柱２１下面に当接した状態で固定区画壁３３が係止用の突条１４の上面に乗り越え係合し、また、吐出弁体３２が吐出弁座１３の上面に圧接して吐出弁ｖ１を構成する。また、吸気弁体３１がノズル基体Ａ１の周壁１０下面が構成する吸気弁座３６に圧接して吸気弁ｖ２を構成している。更に、各フランジ状リブ３５の外周縁はそれぞれノズル基体Ａ１の周壁１０内面に圧接して筒部３０の安定した嵌合を補助している。また、筒部３０の下端開口から筒部３０内を通り、筒部３０上端の透孔３４、吐出弁ｖ１を介して吐出口１８に至る通液路ｐ１を画成しており、更に、外気導入孔１７から凹部１５内を通り、吸気弁ｖ２を介して容器体Ｂ内に至る吸気路ｐ２を画成している。
【００２７】
本発明では、ノズル基体Ａ１のと弁部材Ａ２との間に、弁部材Ａ２をノズル基体Ａ１内の所定位置に嵌着係止させる係止手段を設けており、本例では、弁部材Ａ２の上面を係止柱２１下面に当接することで、係止手段を構成している。
【００２８】
キャップＣは、口頸部４１外周に、周壁５０下部の大径部５０ａを螺着し、大径部５０ａの上端よりフランジ５０ｂを介して周壁５０の小径部５０ｃを起立し、小径部５０ｃの上端縁より頂壁５１を延設している。また、頂壁５１の裏面中央部より吐出筒１９内に着脱可能に嵌着する棒栓５２を垂設している。
【００２９】
上記の如く構成した目薬容器を使用する場合には、例えば、図１の状態からキャップＣを螺脱した後、容器体を傾けて胴部４０を圧搾すれば、容器体Ｂ内の液が筒部３０内から透孔３４を介して吐出弁ｖ１を液圧で押し開けて吐出口１８より吐出される。胴部４０の圧搾を解除すると、吐出弁ｖ１が閉じ、容器体胴部４０の弾性復元力により胴部４０内が負圧化することで吸気弁ｖ２が開き、外気導入孔１７から通気路ｐ２を通った外気が容器体Ｂ内に導入される。
【００３０】
図５は吐出栓Ａの第２実施例を示し、吐出栓Ａは、第１実施例と同様の容器体Ｂに嵌着し、全体として目薬容器として構成している。また、図示しないが、図１の第１実施例と同様のキャップを装着する様に構成している。また、吐出栓Ａは、第１実施例と同様にノズル基体Ａ１と、弁部材Ａ２とで構成している。
【００３１】
ノズル基体Ａ１は合成樹脂等により形成され、周壁１０の上端縁より頂壁１１を延設した下端開口の有頂筒状をなし、周壁１０外周下部を容器体Ｂの口頸部４１内周に気密・液密に嵌合させて装着している。図示例では周壁１０外周所定位置に突設したフランジ１２を容器体口頸部４１上面に当接係止させて、その下方の周壁１０を容器体口頸部４１内周に嵌合している。
【００３２】
周壁１０の内周下端部には環状に凹ませた大径部２２を設け、大径部２２の上端に弁部材Ａ２のフランジ状の係止板部３７を係止する環状の係止段部２３を形成している。また、周壁１０の上部内周には環状の突条形態の吐出弁座１３を突設し、また、吐出弁座１３下方内周の所定位置には係止用の突条１４を突周設している。更に、係止用の突条１４下方の周壁１０内周下部には、下端が係止段部２３に至る、通気路ｐ２を構成する縦長の凹部１５を形成している。また、凹部１５内上端部位置の周壁１０には外気導入孔１７を穿設している。また、頂壁１１には吐出口１８を開口している。吐出口１８は頂壁１１中央部に上端を開口した吐出筒１９内に開口しており、吐出筒１９内下部に周方向複数突設した支持リブ２０を介して上記係止手段を構成する係止柱２１を支持している。
【００３３】
弁部材Ａ２は、エラストマー等の柔軟で弾力性に富む材質により形成されたもので、下端開口の有頂筒状をなす筒部３０を備え、筒部３０下面の開口周縁より下方外方へ、ラッパ口状に下方外方へ広がる吸気弁体３１を一体に突設しており、筒部３０の頂面よりラッパ口状に上方外方へ広がる吐出弁体３２を一体に突設している。また、筒部３０の外周上部からは外周縁をノズル基体Ａ１の周壁１０内周に嵌着固定する固定区画壁３３を突設している。固定区画壁３３と吐出弁体３２との間の筒部３０には透孔３４を穿設し、筒部３０内と、固定区画壁３３と吐出弁体３２との間の外部とを連通している。また、固定区画壁３３下方の筒部３０外周からは、フランジ状リブ３５を間隔をあけて複数突設している。
【００３４】
更に、筒部３０の外周下端部からは、弁部材Ａ２をノズル基体Ａ１内の所定位置に嵌着係止させる係止手段を構成するフランジ状の係止板部３７を突設している。この係止板部３７は、係止段部２３下面に当接係止して、弁部材Ａ２をノズル基体Ａ１内の所定位置に嵌着係止させる。また、係止板部３７には通気路ｐ２を構成する通気孔３８を備えている。本例では、図６に示す如く、周方向複数の切欠き状をなす通気孔３８を設けている。尚、本例では係止柱２１で構成される上方の係止手段と、係止段部２３及び係止板部３７で構成される下方の係止手段の二つの係止手段を同時に設けているが、係止手段は上方の係止手段のみ或いは下方の係止手段のみであっても弁部材Ａ２を適正位置に嵌着固定することができるが、上方の係止手段と下方の係止手段を併用することで柔軟で弾力性に富む材質の弁部材Ａ２をより適正位置に容易に嵌着固定することが可能となる。
【００３５】
そして、ノズル基体Ａ１の下端開口から弁部材Ａ２を挿入嵌合して吐出栓Ａを形成している。吐出栓Ａは、弁部材Ａ２の上面が係止柱２１下面に当接した状態で固定区画壁３３が係止用の突条１４の上面に乗り越え係合し、また、吐出弁体３２の周縁部下面が吐出弁座１３の上面に圧接して吐出弁ｖ１を構成する。また、吸気弁体３１の周縁部上面がノズル基体Ａ１の周壁１０下面が構成する吸気弁座３６に圧接して吸気弁ｖ２を構成している。更に、各フランジ状リブ３５の外周縁はそれぞれノズル基体Ａ１の周壁１０内面に圧接して筒部３０の安定した嵌合を補助している。また、係止板部３７が係止段部２３の下面に係止されている。また、筒部３０の下端開口から筒部３０内を通り、筒部３０上端の透孔３４、吐出弁ｖ１を介して吐出口１８に至る通液路ｐ１を画成しており、更に、外気導入孔１７から凹部１５内、通気孔３８を通り、吸気弁ｖ２を介して容器体Ｂ内に至る吸気路ｐ２を画成している。
【００３６】
上記の如く構成した目薬容器を使用する場合には、例えば、図５の状態から容器体を傾けて胴部４０を圧搾すれば、容器体Ｂ内の液が筒部３０内から透孔３４を介して吐出弁ｖ１を液圧で押し開けて吐出口１８より吐出される。胴部４０の圧搾を解除すると、吐出弁ｖ１が閉じ、容器体胴部４０の弾性復元力により胴部４０内が負圧化することで吸気弁ｖ２が開き、外気導入孔１７から通気路ｐ２を通った外気が容器体Ｂ内に導入される。
【００３７】
尚、上記各例では凹部１５及び外気導入孔１７をそれぞれ一箇所ずつ設けているが、それぞれ複数箇所設けても良く、また、通気路ｐ１の形態として、周壁１０内周に環状の凹部を凹設してそこに周方向複数の縦リブを突設した形態であっても良い。
【符号の説明】
【００３８】
Ａ：吐出栓
Ａ１：ノズル基体
１０…周壁、１１…頂壁、１２…フランジ、１３…吐出弁座、１４…係止用の突条、
１５…凹部、１７…外気導入孔、１８…吐出口、１９…吐出筒、
２０…支持リブ、２１…係止柱、２２…大径部、２３…係止段部
Ａ２：弁部材
３０…筒部、３１…吸気弁体、３２…吐出弁体、３３…固定区画壁、３４…透孔、
３５…フランジ状リブ、３６…吸気弁座、３７…係止板部、３８…通気孔
Ｂ：容器体
４０…胴部、４１…口頸部
Ｃ：キャップ
５０…周壁、５０ａ…大径部、５０ｂ…フランジ、５０ｃ…小径部、５１…頂壁、
５２…棒栓
ｐ１：通液路
ｐ２：通気路
ｖ１：吐出弁
ｖ２：吸気弁
【図１】
0005808998.tif 000002
【図２】
0005808998.tif 000003
【図３】
0005808998.tif 000004
【図４】
0005808998.tif 000005
【図５】
0005808998.tif 000006
【図６】
0005808998.tif 000007